(57)【要約】【課題】  必要量になるまで雨水を効果的に取水でき、取水量が必要量に達すると確実にオーバーフローして排水できる。【解決手段】  上端部が上縦樋接続筒部１となり且つ下端部が下縦樋接続筒部２となった取水用継手筒３の内部を下縦樋接続筒部２の上方位置で仕切り部４により上下に仕切る。オーバーフロー用内筒部５を仕切り部４から取水用継手筒３内において上方に向けて突設する。取水用継手筒３の仕切り部４よりも上位置の外面部に雨水取出し口部６を設ける。雨水を取水用継手筒３内に流入させるための上縦樋７の下端部を取水用継手筒３の上開口部８から取水用継手筒３内に嵌め込むと共に上縦樋７の下部でオーバーフロー用内筒部５の上部を通水用隙間９を介して囲む。上縦樋接続筒部１の上開口部８と上縦樋７の外面との間を止水する。上縦樋７の下端を雨水取出し口部６の上端よりも上方に位置させる。【選択図】図１
2008156948.tif 000002
【特許請求の範囲】
【請求項１】
上端部が上縦樋接続筒部となり且つ下端部が下縦樋接続筒部となった取水用継手筒の内部を下縦樋接続筒部の上方位置で仕切り部により上下に仕切り、上端が開口し且つ下端が下縦樋接続筒部に連通するように開口したオーバーフロー用内筒部を仕切り部から取水用継手筒内において上方に向けて突設して、オーバーフロー用内筒部の外周面と取水用継手筒の内周面との間に水受け凹所を形成し、取水用継手筒の外面部に水受け凹所に連通する雨水取出し口部を設け、雨水を取水用継手筒内に流入させるための上縦樋の下端部を取水用継手筒の上開口部から取水用継手筒内の水受け凹所内に嵌め込むと共に上縦樋の下部でオーバーフロー用内筒部の上部を水受け凹所の一部である通水用隙間を介して囲み、取水用継手筒の上開口部と上縦樋の外面との間を止水して成ることを特徴とする雨水取水装置。
【請求項２】
取水用継手筒の上縦樋接続筒部と下縦樋接続筒部とをそれぞれ軟質のシール部材を介して上縦樋及び下縦樋に着脱自在に嵌め込み接続して成ることを特徴とする請求項１記載の雨水取水装置。 
【発明の詳細な説明】
【技術分野】
【０００１】
本発明は、雨水を効果的に取水できる雨水取水装置に関するものである。
【背景技術】
【０００２】
雨水を有効利用するために雨水が流れる縦樋の途中に雨水取水装置を設けて雨水を取水するようにしたものが、例えば、特許文献１などにより知られている。
【０００３】
この特許文献１に示された従来例は、図３に示すようなもので、取水用継手筒３’の内部を仕切り部４’により上下に仕切り、上端が開口し且つ下端が下縦樋接続筒部２’に連通するように開口したオーバーフロー用内筒部５’を仕切り部４’から取水用継手筒３’内において上方に向けて突設し、オーバーフロー用内筒部５’の上開口に漏斗状をしたろ過部材２０を取付けてある。ろ過部材２０の下端部はオーバーフロー用内筒部５’の上開口に連通する開口となり且つろ過部材２０は上に行くほど径が大きくなるような形状をしている。そして、上縦樋７’の下端を取水用継手筒３’の上端よりも一定寸法Ｌだけ上方に位置させ、上縦樋７’から流入する雨水を取水用継手筒３’内に流入させ、雨水の一部を漏斗上のろ過部材２０でろ過してオーバーフロー用内筒部５’と取水用継手筒３’との間に流入させて雨水取出し口部から取水するようにしている。
【０００４】
しかしながら、上記従来例においては上縦樋から取水用継手筒３’内に流下した雨水はすべて漏斗状のろ過部材２０に流れ、その大部分は漏斗状のろ過部材２０の下開口から直接オーバーフロー用内筒部５’内に流れ込んで下縦筒１２’から下方に排水され、上縦樋７’から流下した雨水の一部しか漏斗状のろ過部材２０の側面を通過して雨水取出し口部６’側には流れないものであり、大部分は取水されず排水されてしまい、取水効率が悪く、雨量が少ない場合など、十分な量の取水が出来ないという問題がある。また、上縦樋から流下する雨水の量が多い場合は、取水用継手筒３’の上端開口から外に溢れるという問題がある。
【特許文献１】特開２００２−７００８６号公報
【発明の開示】
【発明が解決しようとする課題】
【０００５】
本発明は上記の従来の問題点に鑑みて発明したものであって、必要量になるまで雨水を効果的に取水でき、取水量が必要量に達すると確実にオーバーフローして排水できる雨水取水装置を提供することを課題とするものである。
【課題を解決するための手段】
【０００６】
上記課題を解決するために本発明に係る雨水取水装置は、上端部が上縦樋接続筒部１となり且つ下端部が下縦樋接続筒部２となった取水用継手筒３の内部を下縦樋接続筒部２の上方位置で仕切り部４により上下に仕切り、上端が開口し且つ下端が下縦樋接続筒部２に連通するように開口したオーバーフロー用内筒部５を仕切り部から取水用継手筒３内において上方に向けて突設して、オーバーフロー用内筒部５の外周面と取水用継手筒３の内周面との間に水受け凹所１３を形成し、取水用継手筒３の外面部に水受け凹所１３に連通する雨水取出し口部６を設け、雨水を取水用継手筒３内に流入させるための上縦樋７の下端部を取水用継手筒９の上開口部８から取水用継手筒３内の水受け凹所１３内に嵌め込むと共に上縦樋７の下部でオーバーフロー用内筒部５の上部を水受け凹所１３の一部である通水用隙間９を介して囲み、取水用継手筒９の上開口部８と上縦樋７の外面との間を止水して成ることを特徴とするものである。
【０００７】
このような構成とすることで、上縦樋７の内面に沿って流下した雨水は必ず水受け凹所１３の一部である通水用隙間９に流れ込み、通水用隙間９に流入した雨水の全量が雨水取出し口部６に流れ込んで取水される。雨水取出し口部６からの雨水の取水が必要量に達すると、水受け凹所１３の水位が上昇してオーバーフロー用内筒部５の上開口からオーバーフローして排水される。また、オーバーフローの際に、上縦樋接続筒部１の上開口部８と上縦樋７の外面との間を止水してあるので、取水用継手筒３の上開口部８から外部に溢れ出すことがない。
【０００８】
また、取水用継手筒３の上縦樋接続筒部１と下縦樋接続筒部２とをそれぞれ軟質のシール部材１０、１１を介して上縦樋７及び下縦樋１２に着脱自在に嵌め込み接続することが好ましい。
【０００９】
このような構成とすることで、取水用継手筒３内に落ち葉などが詰まった場合、取水用継手筒３を取り外して落ち葉などの詰まりを除去することができ、また、このように取水用継手筒３を着脱自在としたにもかかわらず、軟質のシール部材１０、１１を介して取付けているので、水漏れが発生せず、また、強風により不用意に外れたりしない。
【発明の効果】
【００１０】
本発明は、上記のように構成したので、上縦樋の内面に沿って流下する雨水のほぼ全量を必要な取水量になるまで効果的に取水でき、また、取水量が必要量に達すると確実にオーバーフローして排水できるという利点を有している。
【発明を実施するための最良の形態】
【００１１】
以下、本発明を添付図面に示す実施形態に基いて説明する。
【００１２】
取水用継手筒３は上端部が上縦樋接続筒部１となり且つ下端部が下縦樋接続筒部２となっており、取水用継手筒３の内部を下縦樋接続筒部２の上方位置で仕切り部４により上下に仕切ってある。取水用継手筒３の内部において上記仕切り部４から上方に向けてオーバーフロー用内筒部５が一体に突設してあり、このオーバーフロー用内筒部５は上端が開口していると共に下端が下縦樋接続筒部２に連通するように開口している。このように仕切り部４から上方にオーバーフロー用内筒部５を突設することで、取水用継手筒３の内周面とオーバーフロー用内筒部５の外周面との間に水受け凹所１３が形成される。
【００１３】
また、取水用継手筒３外面部に筒状をした雨水取出し口部６を一体に設けてあり、全体として仕切り部４よりも上位置に設けてあって、雨水取り出し口部６の一端部が上記水受け凹所１３に連通している。
【００１４】
オーバーフロー用内筒部５の上端は雨水取り出し口部６の上端よりも上方に位置するように突出し、更に、このオーバーフロー用内筒部５は取水用継手筒３の上端開口付近まで突出させてある。
【００１５】
また、取水用継手筒３の上端部の上縦樋接続筒部１の内周面には周方向にわたってエラストマー系材料、加硫ゴムなどの軟質のシール部材１０が取着してあり、取水用継手筒３の下端部の下縦樋接続筒部２の外周面には周方向にわたってエラストマー系材料、加硫ゴムなどの軟質のシール部材１１が取着してある。
【００１６】
上記のような構成の取水用継手筒３は、上縦樋接続筒部１を屋根などから雨水を排水する上縦樋７の下端部を被嵌し、下縦樋接続筒部２を下縦樋１２の上端部に嵌め込む。この場合、軟質のシール部材１０、１１により上縦樋接続筒部１と上縦樋７、下縦樋接続筒部２と下縦樋１２とが止水されると共に、嵌め込みにより軟質のシール部材１０、１１が圧縮されて嵌め込み状態を保持して取水用継手筒３の上縦樋接続筒部１と上縦樋７とが着脱自在に接続され、また、取水用継手筒３の下縦樋接続筒部２と下縦樋１２とが着脱自在に接続される。
【００１７】
このように取水用継手筒３を上縦樋７、下縦樋１２に対して接着剤による接着でなく、軟質のシール部材１０、１１を介して着脱自在に接続することで、落ち葉などが内部に溜まった場合など、取水用継手筒３を取り外して落ち葉の除去などが容易にできるようになっている。
【００１８】
また、取水用継手筒３の雨水取出し口部６には図示を省略しているが、直接又は接続筒を介して雨水溜めタンク等が接続される。
【００１９】
取水用継手筒３の上開口部８から取水用継手筒３内に嵌め込んで上縦樋接続筒部１に上縦樋７の下端部を接続する場合、図１に示すように、上縦樋７の下部を水受け凹所１３内の略上半分に挿入して上縦樋７の下部内周面でオーバーフロー用内筒部５の上部の外周面を通水用隙間９を介して囲むようにする。上記上縦樋７の下端を雨水取出し口部６の上端よりも上方に位置させて嵌めこまれた上縦樋７の下端により雨水取出し口部６の開口の一部を塞がないようになっている。
【００２０】
上記のように取水用継手筒３により上縦樋７、下縦樋１２を接続するのであるが、上縦樋７、下縦樋１２の伸縮による影響を緩和するように取水用継手筒３の上下長さは１２〜３０ｃｍ程度とする。また、オーバーフロー用内筒部５の上下方向の長さは取水用継手筒３の上下方向の長さの５０〜８０％の長さとして、オーバーフロー用内筒部５の上部が上縦樋７の下部内に入って通水用隙間９の上下長さを十分に確保しつつ同時に上縦樋７により雨水取出し口部６の開口の一部を塞がないようになっている。
【００２１】
上記のような構成の本発明の雨水取水装置において、屋根に降った雨水は上縦樋７に流れる。
【００２２】
ここで、降水量が比較的少ない場合は、上縦樋７を流れる雨水は大半が上縦樋７の内周面に沿って流下し、大半の雨水が上縦樋７の下端部の内周面とオーバーフロー用内筒部５の上部の外周面との間の通水用隙間９に流れ込んで、そのままオーバーフロー用内筒部５の外周面と取水用継手筒３の内周面との間の水受け凹所１３に受けられる。水受け凹所１３に受けられた雨水は水受け凹所１３の下部に一端が連通した雨水取り出し口部６から図示を省略している雨水溜めタンク等に取水される。
【００２３】
このように、雨量が少ない場合は、大半の雨水が上縦樋７の下端部の内周面とオーバーフロー用内筒部５の上部の外周面との間の通水用隙間９に流れるようにして取水することで、効果的に取水ができる。
【００２４】
雨水取り出し口部６から取水する雨水の取水量が設定された取水量になると、水受け凹所１３内の水位が上昇し、オーバーフロー用内筒部５の上端の開口に達すると上縦樋７から流下する雨水は全量がオーバーフロー用内筒部５から下縦樋７に流れて外部に排水されることになる。したがって、雨水取り出し口部６から必要以上に過剰に取水されることはなく、過剰な雨水が雨水溜めタンク等に流入してトラブルが生じるというような事態を回避できる。
【００２５】
また、降水量が比較的多い場合は、上縦樋７に流れ込んだ雨水は上縦樋７の内周面に沿うだけでなく上縦樋７の中央部を落下し、一部はそのままオーバーフロー用内筒部５の上開口からオーバーフロー用内筒部５内を流下して下縦樋７に流れて外部に排水され、一方、上縦樋７の内周面に沿って流れる雨水は前述の説明のように、上縦樋７の下端部の内周面とオーバーフロー用内筒部５の上部の外周面との間の通水用隙間９に流れ、水受け凹所１３を経て雨水取り出し口部６から雨水溜めタンク等に取水される。このため、降水量が多い場合であっても、一度に過剰な雨水が雨水溜めタンク等に流入してトラブルが生じるというような事態を回避できる。
【００２６】
また、オーバーフローの際に、上縦樋接続筒部１の上開口部８と上縦樋７の外面との間を止水してあるので、取水用継手筒３の上開口部８から外部に溢れ出すことがない。
【００２７】
取水用継手筒３に落ち葉などが詰まった場合は、取水用継手筒３を取り外して落ち葉などの詰まりを除去し、除去作業が終わると、再び元のように取水用継手筒３の上縦樋接続筒部１を上縦樋７の下端部を被嵌すると共に下縦樋接続筒部２を下縦樋１２の上端部に嵌め込んで取付けるものである。
【００２８】
ここで、軟質のシール部材１１を介して着脱自在に取付けているので、上記のように水漏れが発生しないのみならず、強風により不用意に外れたりしない。
【図面の簡単な説明】
【００２９】
【図１】本発明の断面図である。
【図２】同上の破断した分解斜視図である。
【図３】従来例の断面図である。
【符号の説明】
【００３０】
１  上縦樋接続筒部
２  下縦樋接続筒部
３  取水用継手筒
４  仕切り部
５  オーバーフロー用内筒部
６  雨水取出し口部
７  上縦樋
８  上開口部
９  通水用隙間
１０  シール部材
１１  シール部材
１２  下縦樋 
【図１】
2008156948.tif 000003
【図２】
2008156948.tif 000004
【図３】
2008156948.tif 000005